(57)【要約】【課題】車両を迅速にかつ低費用をもって搬送することのできる位置にある搬送用車両を管理している搬送業者への搬送依頼を容易に行うことができる搬送業者選定システムを提供すること。【解決手段】搬送業者選定システム１は、依頼者から提供される車両２の搬送依頼情報３を記憶する搬送依頼情報記憶手段４と、搬送業者５及び６側から提供される搬送用車両８ａ、８ｂ及び８ｃの夫々に関する搬送用車両情報９を記憶する搬送用車両情報記憶手段１０と、車両２の搬送開始位置１１並びに搬送用車両８ａ、８ｂ及び８ｃの夫々の現在位置１２ａ、１２ｂ及び１２ｃに基づいて車両２を搬送する搬送用車両８ａ、８ｂ及び８ｃを選出する選出手段１３と、搬送用車両８ａ、８ｂ及び８ｃによる車両２の搬送を搬送業者５及び６側に指令する指令手段１８とを具備している。【選択図】      図１
2004318443.tif 000002
【特許請求の範囲】
【請求項１】
依頼者から提供される車両の搬送開始位置及び搬送業者側から提供される車両の積載又は牽引が可能な複数の搬送用車両の夫々の現在位置に基づいて車両を搬送する搬送用車両を選出する選出手段と、選出手段により選出した搬送用車両による車両の搬送を通信網を介して当該搬送用車両を管理している搬送業者側に指令する指令手段とを具備している搬送業者選定システム。
【請求項２】
選出手段は、複数の搬送用車両の夫々の現在位置及び車両の搬送開始位置に基づいて複数の搬送用車両の夫々の現在位置から車両の搬送開始位置までの移動距離を夫々算出する算出手段を具備している請求項１に記載の搬送業者選定システム。
【請求項３】
算出手段は、地図情報を記憶している地図情報記憶手段と、地図情報記憶手段に記憶されている地図情報、車両の搬送開始位置及び複数の搬送用車両の夫々の現在位置に基づいて複数の搬送用車両の夫々の現在位置から車両の搬送開始位置までの移動経路を夫々特定する移動経路特定手段と、移動経路特定手段により特定した各移動経路における複数の搬送用車両の夫々の現在位置から車両の搬送開始位置までの移動距離を夫々計算する移動距離計算手段とを具備している請求項２に記載の搬送業者選定システム。
【請求項４】
地図情報には、搬送用車両の移動可能領域及び当該移動可能領域における基準走行速度に関する情報が含まれており、移動距離計算手段は、現在の走行速度が基準走行速度を下回る場合には、複数の搬送用車両の夫々の現在位置から車両の搬送開始位置までの現実移動距離に所望距離を加えることにより移動距離を夫々計算するようになっている請求項３に記載の搬送業者選定システム。
【請求項５】
選出手段は、複数の搬送用車両の移動距離を夫々比較することにより最短移動距離をもって現在位置から車両の搬送開始位置まで移動することのできる搬送用車両を検出する検出手段を具備している請求項２から４のいずれか一項に記載の搬送業者選定システム。
【請求項６】
算出手段により算出した搬送用車両の現在位置から車両の搬送開始位置までの移動距離と、予め設定された単位距離当たりの費用額とに基づいて搬送用車両の移動費用を算出する費用算出手段を具備している請求項２から５のいずれか一項に記載の搬送業者選定システム。
【請求項７】
指令手段による指令に対する車両の搬送を受諾する旨の信号及び拒否する旨の信号を搬送業者側から通信網を介して受信することにより、当該搬送業者の搬送用車両による車両の搬送可否を確認する確認手段を具備している請求項１から６のいずれか一項に記載の搬送業者選定システム。
【請求項８】
選出手段は、複数の搬送用車両を選出するようになっており、指令手段は、確認手段が搬送業者側から一の搬送用車両による車両の搬送を拒否する旨の信号を受信した場合には、選出手段により選出した一の搬送用車両とは他の一の搬送用車両による搬送を通信網を介して他の一の搬送用車両を管理している搬送業者側に指令するようになっている請求項７に記載の搬送業者選定システム。
【請求項９】
車両の搬送開始位置を含む搬送依頼情報を記憶する搬送依頼情報記憶手段を具備している請求項１から８のいずれか一項に記載の搬送業者選定システム。
【請求項１０】
搬送用車両の現在位置を含む搬送用車両情報を記憶する搬送用車両情報記憶手段を具備している請求項１から９のいずれか一項に記載の搬送業者選定システム。
【請求項１１】
搬送用車両情報記憶手段に記憶されている搬送用車両情報を搬送業者側から提供される新たな搬送用車両情報に更新する更新手段を具備している請求項１０に記載の搬送業者選定システム。
【発明の詳細な説明】
【０００１】
【発明の属する技術分野】
本発明は、自動車等の車両を搬送する搬送業者を選定する搬送業者選定システムに関する。
【０００２】
【従来の技術】
本発明の技術的背景となり得るものとしては、例えば、特許文献１に開示されているような営業者配車システムが挙げられる。
【０００３】
【特許文献１】
特開２００３−９９８９１号公報
【０００４】
【発明が解決しようとする課題】
近年において、自動車、自動二輪車等の車両は、移動手段として頻繁に利用されている。
【０００５】
ところで、自動車等の車両の利用者には、自己の都合（例えば、酒気帯び等の身体的都合）により出先で車両を自ら移動させることができなくなる場合が起こり得、斯かる場合には、車両の駐車料金が増大し得ると共に当該車両以外の移動手段の確保等に労力を費やすこととなり得る。例えば、自宅と出勤地との間の通常の移動手段として自動車等を利用する者が当該自動車等を出勤地に駐車したまま自宅に帰宅する場合が考えられ、斯かる場合には、自動車等の利用者は、次回出勤時に自宅から出勤地までの移動に当該出勤地に駐車してある自動車等を利用することはできないことから、当該自動車等以外の非常の移動手段（バス、電車等）を利用することとなり、自宅と出勤地との間の移動に要する費用及び時間が変動し得る結果、到着予定時間までに出勤地に到着できなくなる虞がある。
【０００６】
上述のように車両を移動させることができなくなった場合、例えば、自動車等の移動を代行タクシー業者に依頼することが考えられるが、代行タクシー業者は、一人に依頼者の自動車等を運転させると共に、他の一人に代行タクシー事業所から自動車等の移動開始位置までの移動と自動車等の移動完了位置から代行タクシー事業所までの移動とに必要な車両を運転させるので、依頼者の自動車等の移動を二人一組で行わせることとなる結果、自動車等の移動に要する費用が高額となり易い。
【０００７】
ここで、自動車等の車両の積載又は牽引が可能な搬送用車両（キャリアカー、レッカー車等）を用いて車両を搬送することで当該車両の移動に要する費用の軽減を図り得るが、依頼者が自動車等の車両を迅速にかつ低費用をもって搬送することのできる位置にある搬送用車両を管理している搬送業者を選び出して当該搬送業者に自動車等の車両の搬送依頼を行うことは、当該依頼者にとって容易であるとは考え難く、斯かる搬送依頼に多大な労力及び時間を費やしてしまう虞がある。
【０００８】
本発明は、前記諸点に鑑みてなされたものであり、その目的とするところは、車両を迅速にかつ低費用をもって搬送することのできる位置にある搬送用車両を管理している搬送業者への搬送依頼を容易に行うことができる搬送業者選定システムを提供することにある。
【０００９】
【課題を解決するための手段】
本発明の第一の態様の搬送業者選定システムは、依頼者から提供される車両の搬送開始位置及び搬送業者側から提供される車両の積載又は牽引が可能な複数の搬送用車両の夫々の現在位置に基づいて車両を搬送する搬送用車両を選出する選出手段と、選出手段により選出した搬送用車両による車両の搬送を通信網を介して当該搬送用車両を管理している搬送業者側に指令する指令手段とを具備している。
【００１０】
第一の態様の搬送業者選定システムによれば、上述の構成を具備しているために、選出手段により車両の搬送開始位置及び複数の搬送用車両の夫々の現在位置に基づいて車両を搬送する搬送用車両を選出し、指令手段により当該搬送用車両を管理している搬送業者側に車両の搬送を指令することで、車両を迅速にかつ低費用をもって搬送することのできる位置にある搬送用車両を管理している搬送業者への搬送依頼を容易に行うことができる。
【００１１】
本発明の第二の態様の搬送業者選定システムでは、第一の態様の搬送業者選定システムにおいて、選出手段は、複数の搬送用車両の夫々の現在位置及び車両の搬送開始位置に基づいて複数の搬送用車両の夫々の現在位置から車両の搬送開始位置までの移動距離を夫々算出する算出手段を具備している。
【００１２】
本発明の第三の態様の搬送業者選定システムでは、第二の態様の搬送業者選定システムにおいて、算出手段は、地図情報を記憶している地図情報記憶手段と、地図情報記憶手段に記憶されている地図情報、車両の搬送開始位置及び複数の搬送用車両の夫々の現在位置に基づいて複数の搬送用車両の夫々の現在位置から車両の搬送開始位置までの移動経路を夫々特定する移動経路特定手段と、移動経路特定手段により特定した各移動経路における複数の搬送用車両の夫々の現在位置から車両の搬送開始位置までの移動距離を夫々計算する移動距離計算手段とを具備している。
【００１３】
本発明の第四の態様の搬送業者選定システムでは、第三の態様の搬送業者選定システムにおいて、地図情報には、搬送用車両の移動可能領域及び当該移動可能領域における基準走行速度に関する情報が含まれており、移動距離計算手段は、現在の走行速度が基準走行速度を下回る場合には、複数の搬送用車両の夫々の現在位置から車両の搬送開始位置までの現実移動距離に所望距離を加えることにより移動距離を夫々計算するようになっている。
【００１４】
本発明の第五の態様の搬送業者選定システムでは、第二から第四のいずれかの態様の搬送業者選定システムにおいて、選出手段は、複数の搬送用車両の移動距離を夫々比較することにより最短移動距離をもって現在位置から車両の搬送開始位置まで移動することのできる搬送用車両を検出する検出手段を具備している。
【００１５】
本発明の第六の態様の搬送業者選定システムは、第二から第五の態様のいずれかの搬送業者選定システムにおいて、算出手段により算出した搬送用車両の現在位置から車両の搬送開始位置までの移動距離と、予め設定された単位距離当たりの費用額とに基づいて搬送用車両の移動費用を算出する費用算出手段を具備している。
【００１６】
本発明の第七の態様の搬送業者選定システムは、第一から第六のいずれかの態様の搬送業者選定システムにおいて、指令手段による指令に対する車両の搬送を受諾する旨の信号及び拒否する旨の信号を搬送業者側から通信網を介して受信することにより、当該搬送業者の搬送用車両による車両の搬送可否を確認する確認手段を具備している。
【００１７】
本発明の第八の態様の搬送業者選定システムでは、第七の態様の搬送業者選定システムにおいて、選出手段は、複数の搬送用車両を選出するようになっており、指令手段は、確認手段が搬送業者側から一の搬送用車両による車両の搬送を拒否する旨の信号を受信した場合には、選出手段により選出した一の搬送用車両とは他の一の搬送用車両による搬送を通信網を介して他の一の搬送用車両を管理している搬送業者側に指令するようになっている。
【００１８】
本発明の第九の態様の搬送業者選定システムは、第一から第八のいずれかの態様の搬送業者選定システムにおいて、車両の搬送開始位置を含む搬送依頼情報を記憶する搬送依頼情報記憶手段を具備している。
【００１９】
本発明の第十の態様の搬送業者選定システムは、第一から第九のいずれかの態様の搬送業者選定システムにおいて、搬送用車両の現在位置を含む搬送用車両情報を記憶する搬送用車両情報記憶手段を具備している。
【００２０】
本発明の第十一の態様の搬送業者選定システムは、第十の態様の搬送業者選定システムにおいて、搬送用車両情報記憶手段に記憶されている搬送用車両情報を搬送業者側から提供される新たな搬送用車両情報に更新する更新手段を具備している。
【００２１】
次に、本発明の実施の形態の例を、図に示す好ましい例に基づいて更に詳細に説明する。尚、本発明はこれら例に何等限定されないのである。
【００２２】
【発明の実施の形態】
図１から図４において、本例の搬送業者選定システム１は、依頼者から提供される車両２の搬送依頼情報３を記憶する搬送依頼情報記憶手段４と、搬送業者５及び６側から提供される車両２の積載又は牽引が可能な搬送用車両８ａ、８ｂ及び８ｃの夫々に関する搬送用車両情報９を記憶する搬送用車両情報記憶手段１０と、搬送依頼情報記憶手段４に記憶されている搬送依頼情報３に含まれている車両２の搬送開始位置１１及び搬送用車両情報記憶手段１０に記憶されている搬送用車両情報９に含まれている搬送用車両８ａ、８ｂ及び８ｃの夫々の現在位置１２ａ、１２ｂ及び１２ｃに基づいて車両２を搬送する搬送用車両８ａ、８ｂ及び８ｃを選出する選出手段１３と、選出手段１３により選出した搬送用車両８ａ、８ｂ及び８ｃによる車両２の搬送を通信網１４を介して当該搬送用車両８ａ及び８ｂを管理している搬送業者５側並びに搬送用車両８ｃを管理している搬送業者６側に指令する指令手段１８と、指令手段１８による指令に対する車両２の搬送を受諾する旨の信号及び拒否する旨の信号を搬送業者５及び６側から通信網１４を介して受信することにより、当該搬送業者５及び６の搬送用車両８ａ、８ｂ及び８ｃによる車両２の搬送可否を確認する確認手段２１と、搬送用車両情報記憶手段１０に記憶されている搬送用車両情報９を搬送業者５及び６側から提供される新たな搬送用車両情報９に更新する更新手段２２とを具備している。
【００２３】
車両２は、自動車、自動二輪車等や自転車等からなる。搬送用車両８ａ、８ｂ及び８ｃは、車両２の積載又は牽引が可能であればよく、例えば、キャリアカー、レッカー車等からなる。
【００２４】
搬送依頼情報記憶手段４、搬送用車両情報記憶手段１０、選出手段１３、指令手段１８、確認手段２１及び更新手段２２は、本例では、搬送業者選定事業所に設置された選定コンピュータ２６内に格納されている。選定コンピュータ２６は、搬送依頼情報３、搬送用車両情報９及び地図情報５０を表示する図５に示す表示部２７を有している。
【００２５】
搬送業者５は、本例では、選定コンピュータ２６とデータの送受信が可能な端末機器としての搬送業者コンピュータ２３を有しており、搬送業者６は、選定コンピュータ２６とデータの送受信が可能な端末機器としての携帯電話機２４を有している。
【００２６】
通信網１４は、選定コンピュータ２６と搬送業者コンピュータ２３及び携帯電話機２４とを、これらが夫々互いにデータの送受信可能に有線、無線により接続するように構成されており、選定コンピュータ２６と搬送業者コンピュータ２３との間には、例えば、通信網１４を構成するインターネット回線や専用回線が介在し、また、選定コンピュータ２６と携帯電話機２４との間には、例えば、通信網１４を構成する無線基地局及びインターネット回線が介在する。
【００２７】
搬送依頼情報記憶手段４、搬送用車両情報記憶手段１０及び後述の地図情報記憶手段５１の夫々は、選定コンピュータ２６のハードウエア資源として備えられている書き込み及び読み出しが可能な磁気ディスク、光ディスク、光磁気ディスク、コンピュータに内蔵されるメモリ等の記憶媒体によって具体化される。
【００２８】
搬送依頼情報３には、本例では、上述の搬送開始位置１１に加えて、車両２のナンバー等の固有情報３１、車両２の搬送完了位置３２、車両２の搬送指定時間３３が含まれており、搬送開始位置１１、搬送完了位置３２及び搬送指定時間３３は、固有情報３１に関連づけられた情報として搬送依頼情報記憶手段４に夫々記憶されている。尚、搬送依頼情報３に複数の固有情報３１が含まれる場合には、当該搬送依頼情報３には、複数の固有情報３１の夫々に対して関連づけられた情報としての複数の搬送開始位置１１、搬送完了位置３２及び搬送指定時間３３もまた含まれることとなる。
【００２９】
固有情報３１、搬送開始位置１１、搬送完了位置３２及び搬送指定時間３３は、依頼者からの搬送依頼の内容に含まれる車両２のナンバー、車両２の搬送元住所、車両２の搬送先住所、車両２の搬送開始時間、車両２の搬送完了時間等に基づいて夫々作成されて搬送依頼情報記憶手段４に夫々記憶される。搬送開始位置１１及び搬送完了位置３２は、本例では、図５に示すように、表示部２７に地図情報５０と関連して夫々表示されるようになっている。
【００３０】
尚、搬送依頼情報３は、依頼者からの車両２の搬送依頼が電話、ＦＡＸ等により行われる場合には、当該電話、ＦＡＸ等に示される搬送依頼の内容を選定コンピュータ２６のキーボード等からなる操作部の操作により間接的に搬送依頼情報記憶手段４に記憶され、また、依頼者からの車両２の搬送依頼がパーソナルコンピュータや携帯電話機等の端末機器を用いてインターネット等を介して行われる場合には、当該端末機器の操作により入力された搬送依頼の内容がインターネット等を介して直接的に搬送依頼情記憶手段４に記憶される。
【００３１】
搬送用車両情報９には、本例では、上述の現在位置１２ａ、１２ｂ及び１２ｃに加えて、搬送用車両８ａのナンバー等の固有情報４１ａ、固有情報４１ａによって特定される搬送用車両８ａを管理している搬送業者５を示す管理搬送業者４２ａ及び搬送用車両８ａの稼働可否に関する稼働状況４３ａと、搬送用車両８ｂのナンバー等の固有情報４１ｂ、固有情報４１ｂによって特定される搬送用車両８ｂを管理している搬送業者５を示す管理搬送業者４２ｂ及び搬送用車両８ｂの稼働可否に関する稼働状況４３ｂと、搬送用車両８ｃのナンバー等の固有情報４１ｃ、固有情報４１ｃによって特定される搬送用車両８ｃを管理している搬送業者６を示す管理搬送業者４２ｃ及び搬送用車両８ｃの稼働可否に関する稼働状況４３ｃとが含まれており、現在位置１２ａ、管理搬送業者４２ａ及び搬送用車両８ａの稼働可否に関する稼働状況４３ａは、固有情報４１ａに関連づけられた情報として搬送用車両情報記憶手段１０に夫々記憶されており、現在位置１２ｂ、管理搬送業者４２ｂ及び搬送用車両８ｂの稼働可否に関する稼働状況４３ｂは、固有情報４１ｂに関連づけられた情報として搬送用車両情報記憶手段１０に夫々記憶されており、現在位置１２ｃ、管理搬送業者４２ｃ及び搬送用車両８ｃの稼働可否に関する稼働状況４３ｃは、固有情報４１ｃに関連づけられた情報として搬送用車両情報記憶手段１０に夫々記憶されている。尚、管理搬送業者４２ａ及び４２ｂは、本例では、搬送用車両８ａ及び８ｂが搬送業者５によって管理されているので、夫々搬送業者５を示す情報からなる。
【００３２】
稼働状況４３ａ、４３ｂ及び４３ｃは、搬送用車両８ａ、８ｂ及び８ｃの夫々が新たな車両２の搬送が可能な状態にある場合には、稼働可能を示す情報からなる一方、搬送用車両８ａ、８ｂ及び８ｃの夫々が新たな車両２の搬送が不可能な状態にある場合には、稼働不可能を示す情報からなる。尚、稼働状況４３ａ、４３ｂ及び４３ｃの夫々が稼働不可能を示す情報からなる場合には、本例では、選出手段１３による搬送用車両８ａ、８ｂ及び８ｃの選出、指令手段１８による搬送業者５及び６側への指令は行わないようになっている。
【００３３】
更新手段２２は、本例では、新たな現在位置１２ａ、１２ｂ及び１２ｃをグローバル・ポジショニング・システム（ＧＰＳ）等の衛星通信システムによる人工衛星からの信号を受信すると共に搬送業者コンピュータ２３及び携帯電話機２４からの新たな稼働状況４３ａ、４３ｂ及び４３ｃを通信網１４を介して受信する受信部と、搬送用車両情報記憶手段１０に記憶されている現在位置１２ａ、１２ｂ及び１２ｃ並びに稼働状況４３ａ、４３ｂ及び４３ｃを、受信部で受信した新たな現在位置１２ａ、１２ｂ及び１２ｃ並びに稼働状況４３ａ、４３ｂ及び４３ｃに書き換える書き換えプログラムとを有している。
【００３４】
選出手段１３は、現在位置１２ａ、１２ｂ及び１２ｃ並びに搬送開始位置１１に基づいて現在位置１２ａ、１２ｂ及び１２ｃの夫々から搬送開始位置１１までの移動距離を夫々算出する算出手段５３と、算出手段５３により算出した各移動距離を夫々比較することにより最短移動距離をもって現在位置１２ａ、１２ｂ及び１２ｃから搬送開始位置１１まで移動することのできる搬送用車両８ａ、８ｂ及び８ｃを検出する検出手段５７とを具備している。
【００３５】
算出手段５３は、地図情報５０を記憶している地図情報記憶手段５１と、地図情報記憶手段５１に記憶されている地図情報５０、搬送開始位置１１及び現在位置１２ａ、１２ｂ及び１２ｃに基づいて搬送用車両８ａ、８ｂ及び８ｃの現在位置１２ａ、１２ｂ及び１２ｃから搬送開始位置１１までの移動経路を夫々特定する移動経路特定手段５２と、移動経路特定手段５２により特定した各移動経路における搬送用車両８ａ、８ｂ及び８ｃの現在位置１２ａ、１２ｂ及び１２ｃから搬送開始位置１１までの移動距離を夫々計算する移動距離計算手段５４とを具備している。
【００３６】
地図情報５０は、本例では、搬送用車両８ａ、８ｂ及び８ｃの移動可能領域として交差点Ｂごとに区分された道路Ｒ１、Ｒ２、・・・と、道路Ｒ１、Ｒ２、・・・の夫々の距離と、道路Ｒ１、Ｒ２、・・・の夫々の基準走行速度とを含んでおり、道路Ｒ１、Ｒ２、・・・は、表示部２７に表示されるようになっている。
【００３７】
移動経路特定手段５２は、本例では、地図情報５０、現在位置１２ａ、１２ｂ及び１２ｃ、搬送開始位置１１並びに道路交通情報通信システム等により公衆に配信される道路交通情報に基づいて、搬送用車両８ａ、８ｂ及び８ｃが現在位置１２ａ、１２ｂ及び１２ｃから搬送開始位置１１まで最短距離又は最短時間をもって移動することのできる移動経路を夫々特定するようになっているナビゲーションシステムを有している。道路交通情報には、渋滞、事故、道路規制等や現在の平均走行速度、現在の規制走行速度等に関する情報が含まれている。
【００３８】
以下、本例の搬送業者選定システム１による搬送業者５及び６の選定に関する処理について、特に図６を参照して詳細に説明する。
【００３９】
まず、依頼者からの車両２の搬送依頼に基づく搬送依頼情報３が選定コンピュータ２６内の搬送依頼情報記憶手段４に記憶された際に、地図情報記憶手段５１、搬送依頼情報記憶手段４及び搬送用車両情報記憶手段１０から地図情報５０、搬送依頼情報３及び搬送用車両情報９を夫々読み出すと共に道路交通情報通信システム等からの道路交通情報を受信して搬送業者選定システム１による処理を開始する（段階１０１）。尚、段階１０１で読み出した搬送用車両情報９の稼働状況４３ｂは、本例では、稼働不可能を示す情報からなることとし、従って、選出手段１３による搬送用車両８ｂの選出及び搬送用車両８ｂによる車両２の搬送に関する指令手段１８による指令は行われないこととする。
【００４０】
段階１０１における搬送依頼情報３の記憶後、移動経路特定手段５２により、地図情報５０、搬送依頼情報３、搬送用車両情報９及び道路交通情報に基づいて、現在位置１２ａから搬送開始位置１１まで最短距離又は最短時間で移動可能な搬送用車両８ａの移動経路Ａと、現在位置１２ｃから搬送開始位置１１まで最短距離又は最短時間で移動可能な搬送用車両８ｃの移動経路Ｃとを夫々特定する（段階１０２）。
【００４１】
段階１０２における移動経路Ａ及びＣの特定後、移動距離計算手段５４により、搬送用車両８ａが移動経路特定手段５２によって特定した移動経路Ａを移動する場合における現在位置１２ａから搬送開始位置１１までの移動距離と、搬送用車両８ｃが移動経路特定手段５２によって特定した移動経路Ｃを移動する場合における現在位置１２ｃから搬送開始位置１１までの移動距離とを夫々計算する（段階１０３）。ここで、道路交通情報に現在の平均走行速度又は規制走行速度に関する情報が含まれている場合、移動距離計算手段５４は、現在の平均走行速度又は規制走行速度が移動経路Ａとされた道路Ｒ１０の部分、道路Ｒ６及び道路Ｒ１２の部分の夫々と移動経路Ｃとされた道路Ｒ１３の部分、道路Ｒ３及び道路Ｒ１２の部分の夫々とにおける基準走行速度を上回る場合には、道路Ｒ１０の部分、道路Ｒ６及び道路Ｒ１２の部分の夫々の距離の和を搬送用車両８ａの現在位置１２ａから搬送開始位置１１までの移動距離として計算する一方、道路Ｒ１３の部分、道路Ｒ３及び道路Ｒ１２の部分の夫々の距離の和を搬送用車両８ｃの現在位置１２ｃから搬送開始位置１１までの移動距離として計算する。また、移動距離計算手段５４は、道路交通情報の現在の平均走行速度又は規制走行速度が道路Ｒ３、道路Ｒ６、道路Ｒ１０、道路Ｒ１２及び道路Ｒ１３の夫々における基準走行速度を下回る場合には、道路Ｒ１０の部分、道路Ｒ６及び道路Ｒ１２の部分の夫々の距離の和を搬送用車両８ａの現在位置１２ａから搬送開始位置１１までの現実移動距離とし、当該現実移動距離に所望距離を加算することにより搬送用車両８ａの現在位置１２ａから搬送開始位置１１までの移動距離を計算する一方、道路Ｒ１３の部分、道路Ｒ３及び道路Ｒ１２の部分の夫々の距離の和を搬送用車両８ｃの現在位置１２ｃから搬送開始位置１１までの現実移動距離とし、当該得現実移動距離に所望距離を加算することにより搬送用車両８ｃの現在位置１２ｃから搬送開始位置１１までの移動距離を計算する。移動距離計算手段５４による計算結果としての移動距離は、検出手段５７による検出処理に用いられる。尚、現実移動距離に加算する所望距離は、例えば、道路交通情報の現在の走行速度での現実移動距離の移動に要する移動時間と地図情報５０の基準走行速度での現実移動距離の移動に要する移動時間との時間差に相当する距離であってもよい。
【００４２】
段階１０３における計算後、検出手段５７により、移動距離計算手段５４の計算結果としての搬送用車両８ａの移動距離及び搬送用車両８ｃの移動距離を夫々比較して最短移動距離をもって搬送開始位置１１まで移動することのできる搬送用車両８ｃを検出すると共に、搬送用車両８ｃの次に最短移動距離をもって搬送開始位置１１まで移動することのできる搬送用車両８ａを検出し、検出結果として、最も短い移動距離で搬送開始位置１１まで移動することのできる搬送用車両順に搬送用車両８ａ及び８ｃを並べて表示した一覧表を作成する（段階１０４）。
【００４３】
段階１０４における搬送用車両８ａ及び８ｃの検出後、指令手段１８により、検出結果として作成された一覧表の中から最短移動距離をもって搬送開始位置１１まで移動することのできる搬送用車両８ｃを管理している搬送業者６の携帯電話機２４に通信網１４を介して搬送用車両８ｃによる車両２の搬送を指令し（段階１０５）、確認手段２１により携帯電話機２４からの当該指令に対する車両２の搬送を受諾する旨の信号及び車両２の搬送を拒否する旨の信号を待ち受ける（段階１０６）。尚、指令手段１８は、本例では、搬送用車両８ａ及び８ｃの移動距離が夫々等しい距離となる場合には、選定コンピュータ２６の操作部から搬送用車両８ａ及び８ｃのうちの一方を選択する旨の信号が入力されるのを待ち受け、当該操作部から搬送用車両８ａ又は８ｃを選択する旨の信号が入力された後、搬送業者５又は６側に指令する。
【００４４】
段階１０６で携帯電話機２４からの指令手段１８による指令に対する車両２の搬送を受諾する旨の信号を通信網１４を介して受信した場合には、指令手段１８により指令した搬送用車両８ｃによる車両２の搬送を確定する（段階１０７）。また、段階１０６で携帯電話機２４からの指令手段１８による指令に対する車両２の搬送を拒否する旨の信号を通信網１４を介して受信した場合には、検出手段５７による検出結果としての一覧表から搬送用車両８ｃを削除し又は搬送用車両８ｃに対する指令は不可能であるとし、その後、段階１０５における指令手段１８による処理を再度行う（段階１０８）。
【００４５】
段階１０８で車両２の搬送が確定した場合には、更新手段２２により、搬送用車両情報記憶手段１０に記憶されている稼働可能を示す情報からなる稼働状況４３を稼働不可能を示す情報からなる稼働状況４３に更新し（段階１０９）、搬送業者選定システム１による搬送業者５及び６の選定に関する処理を終了する（段階１１０）。
【００４６】
以上の搬送業者選定システム１によれば、選出手段１３により車両２の搬送開始位置１１及び搬送用車両８ａ、８ｂ及び８ｃの夫々の現在位置１２ａ、１２ｂ及び１２ｃに基づいて車両２を搬送する搬送用車両８ａ、８ｂ及び８ｃを選出し、指令手段１８により当該搬送用車両８ａ、８ｂ及び８ｃを管理している搬送業者５及び６側に車両２の搬送を指令することで、車両２を迅速にかつ低費用をもって搬送することのできる位置にある搬送用車両８ａ、８ｂ及び８ｃを管理している搬送業者５及び６への搬送依頼を容易に行うことができ、また、危険な飲酒運転の防止に貢献し得ると共に流通経済の発展をも図り得、更に、搬送用車両８ａ、８ｂ及び８ｃは、キャリアカー、レッカー車等からなるために、稼働率の低い修理会社等における遊休設備の有効活用を図り得る。
【００４７】
尚、搬送業者選定システム１は、算出手段５３により算出した搬送用車両８ａ、８ｂ及び８ｃの現在位置１２ａ、１２ｂ及び１２ｃから車両２の搬送開始位置１１までの移動距離と、予め設定された単位距離（例えば１ｋｍ）当たりの費用額（例えば１００円）とに基づいて搬送用車両８ａ、８ｂ及び８ｃの移動費用を算出する費用算出手段を具備していてもよく、斯かる場合には、検出手段５７に代えて又は加えて、費用算出手段により算出した搬送用車両８ａ、８ｂ及び８ｃの移動費用を夫々比較することにより最低移動費用をもって現在位置１２ａ、１２ｂ及び１２ｃから搬送開始位置１１まで移動することのできる搬送用車両８ａ、８ｂ及び８ｃを検出する検出手段を具備していてもよい。尚、費用額は、搬送用車両８ａ、８ｂ及び８ｃの夫々の燃料費、搬送用車両８ａ、８ｂ及び８ｃの運転者の人件費等を考慮して予め設定される。
【００４８】
また、搬送業者選定システム１は、地図情報５０に基づいて算出手段５３により算出した搬送用車両８ａ、８ｂ及び８ｃの現在位置１２ａ、１２ｂ及び１２ｃから車両２の搬送開始位置１１までの移動距離の夫々を移動時間に変換する変換手段を具備していてもよく、斯かる場合には、検出手段５７に代えて又は加えて、変換手段により各移動距離から変換した各移動時間を夫々比較することにより最短移動時間をもって現在位置１２ａ、１２ｂ及び１２ｃから搬送開始位置１１まで移動することのできる搬送用車両８ａ、８ｂ及び８ｃを検出する検出手段を具備していてもよい。
【００４９】
【発明の効果】
本発明によれば、車両を迅速にかつ低費用をもって搬送することのできる位置にある搬送用車両を管理している搬送業者への搬送依頼を容易に行うことができる搬送業者選定システムを提供し得る。
【図面の簡単な説明】
【図１】本発明の実施の形態の例の説明図である。
【図２】図１に示す例の主に搬送依頼情報の説明図である。
【図３】図１に示す例の主に搬送用車両情報の説明図である。
【図４】図１に示す例の主に選出手段の説明図である。
【図５】図１に示す例の主に選定コンピュータの表示部の説明図である。
【図６】図１に示す例による搬送業者の選定の処理に関する説明図である。
【符号の説明】
１  搬送業者選定システム
２  車両
３  搬送依頼情報
４  搬送依頼情報記憶手段
５、６  搬送業者
８ａ、８ｂ、８ｃ  搬送用車両
９  搬送用車両情報
１０  搬送用車両情報記憶手段
１１  搬送開始位置
１２ａ、１２ｂ、１２ｃ  現在位置
１３  選出手段
１４  通信網
１８  指令手段
２１  確認手段
２２  更新手段
【図１】
2004318443.tif 000003
【図２】
2004318443.tif 000004
【図３】
2004318443.tif 000005
【図４】
2004318443.tif 000006
【図５】
2004318443.tif 000007
【図６】
2004318443.tif 000008